【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
複数の画素を備える表示パネルを駆動する表示パネルドライバであって、
ｍビット（ｍは、３以上の整数）の第１画像データを受け取り、ｎビットのディザ値（ｎは、２以上ｍ以下の整数）を前記複数の画素のアドレスに応じてディザテーブルの要素から選択し、前記ｎビットのディザ値を用いたディザ処理を前記第１画像データに対して行って第２画像データを生成するディザ処理部と、
前記第２画像データに応じて前記表示パネルを駆動する駆動回路
とを具備し、
前記ディザテーブルにおける要素の値の度数分布が、不均一である
表示パネルドライバ。
【請求項２】
前記表示パネルが、複数のソース線と、それぞれが前記複数のソース線が延伸する第１方向に並んだ複数の画素を備える複数の画素列とを備え、
前記ディザ処理部は、
前記複数の画素列のうちの第１画素列に属する第１画素に対応する前記第２画像データを、前記第１画素のアドレスに応じて前記ディザテーブルの第１列の要素のうちから選択されたｎビットのディザ値を用いて生成し、
前記複数の画素列のうちの前記第１画素列に前記第１方向に垂直な第２方向において隣接する第２画素列に属する第２画素に対応する前記第２画像データを、前記第２画素のアドレスに応じて前記ディザテーブルの第２列の要素のうちから選択されたｎビットのディザ値を用いて生成する
請求項１に記載の表示パネルドライバ。
【請求項３】
前記ディザテーブルの前記第１列の全ての要素は、前記ディザテーブルの全要素のうち値が小さい方の半数に属し、前記ディザテーブルの前記第２列の全ての要素は、前記ディザテーブルの要素のうち値が大きい方から半数に属している
請求項２に記載の表示パネルドライバ。
【請求項４】
前記ディザ処理部は、
前記表示パネルの前記第１画素列に前記第２方向と反対の第３方向において隣接する第３画素列に属する第３画素に対応する前記第２画像データを、前記第３画素の座標に応じて前記ディザテーブルの第３列の要素のうちから選択されたｎビットのディザ値を用いて生成し、
前記表示パネルの前記第２画素列に前記第２方向において隣接する第４画素列に属する第４画素に対応する前記第２画像データを、前記第４画素のアドレスに応じて前記ディザテーブルの第４列の要素のうちから選択されたディザ値を用いて生成し、
前記ディザテーブルの前記第３列の全ての要素は、前記ディザテーブルの全要素のうち値が小さい方の半数に属し、前記ディザテーブルの前記第４列の全ての要素は、前記ディザテーブルの要素のうち値が大きい方から半数に属している
請求項２又は３に記載の表示パネルドライバ。
【請求項５】
前記ディザテーブルの各要素の値が、前記ディザテーブルにおける値ｐ１、ｐ２を有する要素の個数Ｎ（ｐ１）、Ｎ（ｐ２）が同一でないような０以上２ｎ−１以下の整数ｐ１、ｐ２が存在するように決定された
請求項１〜４のいずれか１項に記載の表示パネルドライバ。
【請求項６】
ｎがｍに等しく、
前記第１画像データに示された副画素の階調ｐに対し、前記表示パネルに表示される画像における前記副画素の所望の輝度をｆ（ｐ）として、
前記ディザテーブルが、ｐ＜（２ｍ−１）／２なるｐについて、前記ディザテーブルの２ｍ個の要素のうちｆ（ｐ）個が（２ｍ−ｐ）以上であり、且つ、ｐ＞（２ｍ−１）／２なるｐについて、前記ディザテーブルの２ｍ個の要素のうちｆ（ｐ）個が（２ｍ−ｐ−１）以上であるように作成された
請求項１〜４のいずれか１項に記載の表示パネルドライバ。
【請求項７】
更に、
入力画像データに対してガンマ補正を行って前記第１画像データを生成する輝度補正回路を具備する
請求項１乃至６のいずれか１項に記載の表示パネルドライバ。
【請求項８】
前記第２画像データは、前記複数の画素の副画素の階調を第１値又は第２値のいずれかとして表す２値画像データとして生成され、
前記駆動回路は、前記２値画像データに応じて前記表示パネルを駆動する
請求項１乃至７のいずれか１項に記載の表示パネルドライバ。
【請求項９】
それぞれが所定数の副画素を有する複数の画素を備えた表示パネルを駆動する表示パネルドライバであって、
入力画像データに対してガンマ補正を行ってｍビット（ｍは、３以上の整数）の補正後画像データを生成する輝度演算回路と、
前記補正後画像データを受け取り、ｎビットのディザ値（ｎは、２以上ｍ以下の整数）を用いたディザ処理を前記補正後画像データに対して行うことにより、前記複数の画素の前記副画素のそれぞれの階調を第１値又は第２値のいずれかとして表す２値画像データを生成するディザ処理部と、
前記２値画像データに応じて前記表示パネルを駆動する駆動回路
とを具備する
表示パネルドライバ。
【請求項１０】
前記ディザ処理部が、前記ｎビットのディザ値を前記複数の画素のアドレスに応じてディザテーブルの要素から選択する
請求項９に記載の表示パネルドライバ。
【請求項１１】
前記ディザテーブルにおける要素の値の度数分布が不均一である
請求項１０に記載の表示パネルドライバ。
【請求項１２】
前記表示パネルが複数のソース線を備え、
前記表示パネルに、それぞれが前記ソース線が延伸する第１方向に並んだ所定数の画素を備える複数の画素列が形成され、
前記ディザ処理部が、
前記複数の画素列のうちの第１画素列に属する第１画素に対応する前記２値画像データを、前記第１画素のアドレスに応じて前記ディザテーブルの第１列の要素のうちから選択されたｎビットのディザ値を用いて生成し、
前記複数の画素列のうちの前記第１画素列に第２方向において隣接する第２画素列に属する第２画素に対応する前記２値画像データを、前記第２画素のアドレスに応じて前記ディザテーブルの第２列の要素のうちから選択されたｎビットのディザ値を用いて生成する
請求項１０又は１１に記載の表示パネルドライバ。
【請求項１３】
前記ディザテーブルの前記第１列の全ての要素の値は、前記ディザテーブルの要素のうち値が小さい方から２（ｎ−１）個から選択され、前記ディザテーブルの前記第２列の全ての要素の値は、前記ディザテーブルの要素のうち値が大きい方から２（ｎ−１）個から選択されている
請求項１２に記載の表示パネルドライバ。
【請求項１４】
前記ディザ処理部は、
前記表示パネルの前記第１画素列に前記第２方向と反対の第３方向において隣接する第３画素列に属する第３画素に対応する前記２値画像データを、前記第３画素の座標に応じて前記ディザテーブルの第３列の要素のうちから選択されたｎビットのディザ値を用いて生成し、
前記表示パネルの前記第２画素列に前記第２方向において隣接する第４画素列に属する第４画素に対応する前記２値画像データを、前記第４画素のアドレスに応じて前記ディザテーブルの第４列の要素のうちから選択されたディザ値を用いて生成し、
前記ディザテーブルの前記第３列の全ての要素は、前記ディザテーブルの全要素のうち値が小さい方の半数に属し、前記ディザテーブルの前記第４列の全ての要素は、前記ディザテーブルの要素のうち値が大きい方から半数に属している
請求項１２又は１３に記載の表示パネルドライバ。
【請求項１５】
複数の画素を備えた表示パネルを駆動する駆動方法であって、
ｍビット（ｍは、３以上の整数）の第１画像データを受け取ることと、
ｎビットのディザ値（ｎは、２以上ｍ以下の整数）を、ディザテーブルの要素から選択することと、
前記ｎビットのディザ値を用いたディザ処理を前記第１画像データに対して行って第２画像データを生成することと、
前記第２画像データに応じて前記表示パネルを駆動すること
とを含み、
前記ディザテーブルにおける要素の値の度数分布が、不均一である
表示パネルの駆動方法。
【請求項１６】
前記表示パネルが、複数のソース線と、それぞれが前記複数のソース線が延伸する第１方向に並んだ複数の画素を備える複数の画素列とを備えており、
前記第２画像データを生成することは、
前記複数の画素列のうちの第１画素列に属する第１画素に対応する前記第２画像データを、前記第１画素のアドレスに応じて前記ディザテーブルの第１列の要素のうちから選択されたｎビットのディザ値を用いて生成することと、
前記複数の画素列のうちの前記第１画素列に前記第１方向に垂直な第２方向において隣接する第２画素列に属する第２画素に対応する前記第２画像データを、前記第２画素のアドレスに応じて前記ディザテーブルの第２列の要素のうちから選択されたｎビットのディザ値を用いて生成すること
とを含む
請求項１５に記載の表示パネルの駆動方法。
【請求項１７】
前記ディザテーブルの前記第１列の全ての要素は、前記ディザテーブルの全要素のうち値が小さい方の半数に属し、前記ディザテーブルの前記第２列の全ての要素は、前記ディザテーブルの要素のうち値が大きい方から半数に属している
請求項１６に記載の表示パネルの駆動方法。
【請求項１８】
前記第２画像データを生成することが、更に、
前記表示パネルの前記第１画素列に前記第２方向と反対の第３方向において隣接する第３画素列に属する第３画素に対応する前記第２画像データを、前記第３画素の座標に応じて前記ディザテーブルの第３列の要素のうちから選択されたｎビットのディザ値を用いて生成することと、
前記表示パネルの前記第２画素列に前記第２方向において隣接する第４画素列に属する第４画素に対応する前記第２画像データを、前記第４画素のアドレスに応じて前記ディザテーブルの第４列の要素のうちから選択されたｎビットのディザ値を用いて生成すること
とを含み、
前記ディザテーブルの前記第３列の全ての要素の値は、前記ディザテーブルの要素のうち値が小さい方から半数に属しており、前記ディザテーブルの前記第４列の全ての要素の値は、前記ディザテーブルの要素のうち値が大きい方から半数に属している
請求項１６又は１７に記載の表示パネルの駆動方法。
【請求項１９】
前記ディザテーブルの各要素の値が、前記ディザテーブルにおける値ｐ１、ｐ２を有する要素の個数Ｎ（ｐ１）、Ｎ（ｐ２）が同一でないような０以上２ｎ−１以下の整数ｐ１、ｐ２が存在するように決定された
請求項１５〜１８のいずれか１項に記載の表示パネルの駆動方法。